(57)【要約】  様々なシステム、プロセス、および技術が、眼吸引を提供することができる。特定の実装では、手持ち式眼吸引器は、電気モーター、蠕動ポンプアセンブリ、流体投入ポート、および流体排出ポートを含むことができる。蠕動ポンプアセンブリは、螺旋巻の圧縮性導管と複数の可変半径ローラーとを含むことができる。このローラーは、ローラーが導管に接触して回転すると、次第に導管を塞ぐよう構成することができ、導管を通して流体をポンプで流すために、２つのローラーが一度に実質的に導管を塞ぐ。流体投入ポートは、蠕動ポンプアセンブリの投入端と流体連通することができ、流体排出ポートは、蠕動ポンプアセンブリの排出端と流体連通することができる。【選択図】図１Ａ
2016516483.tif 000002
【特許請求の範囲】
【請求項１】
手持ち式眼吸引器であって、
電気モーターと、
蠕動ポンプアセンブリであって、
螺旋巻の圧縮性導管と、
少なくとも１つの可変半径ローラーと、を備え、前記少なくとも１つの可変半径ローラーが、前記ローラーが前記導管と接触して回転すると、前記導管を徐々に塞ぐよう構成され、前記少なくとも１つの可変半径ローラーが、前記導管を通して流体をポンプで流すために、前記導管を一度に実質的に完全に塞ぐよう動作可能である、蠕動ポンプアセンブリと、
前記蠕動ポンプの投入端と流体連通する流体投入ポートと、
前記蠕動ポンプの排出端と流体連通する流体排出ポートと、を備える、手持ち式眼吸引器。
【請求項２】
前記少なくとも１つの半径ローラーが、複数の可変半径ローラーを備え、前記複数の可変半径ローラーのうちの２つの可変半径ローラーが、前記導管を通して流体をポンプで流すために、前記導管を一度に実質的に完全に塞ぐ、請求項１に記載の手持ち式眼吸引器。
【請求項３】
前記複数の可変半径ローラーのそれぞれが、可変半径区間と実質的に一定の半径区間とを備える、請求項１に記載の手持ち式眼吸引器。
【請求項４】
前記可変半径区間が、前記複数の可変半径ローラーのそれぞれが前記螺旋巻の圧縮性導管と接触して回転すると、前記螺旋巻の圧縮性導管が実質的に完全に塞がれるまで、前記螺旋巻の圧縮性導管を徐々に塞ぐよう動作可能であり、前記一定の半径区間が、前記複数の可変半径ローラーのそれぞれが前記螺旋巻の圧縮性導管と接触して回転し続けると、前記閉塞を維持するよう動作可能である、請求項３に記載の手持ち式眼吸引器。
【請求項５】
前記蠕動ポンプアセンブリが、ケーシングをさらに備え、前記ケーシングの内壁が、前記螺旋巻の圧縮性導管を受容するための螺旋溝を提供する、請求項１に記載の手持ち式眼吸引器。
【請求項６】
前記蠕動ポンプアセンブリが、アーマチュアを備え、前記複数の可変半径ローラーが前記アーマチュアに回転連結される、請求項１に記載の手持ち式眼吸引器。
【請求項７】
前記モーターが、前記アーマチュアを駆動するよう動作可能である、請求項６に記載の手持ち式眼吸引器。
【請求項８】
前記複数の可変半径ローラーの可変半径が、約１５度の傾斜を有する、請求項７に記載の手持ち式眼吸引器。
【請求項９】
眼の手術用の蠕動ポンプであって、
アーマチュアと、
前記アーマチュアに回転可能に連結される複数のローラーであって、それぞれが第１の半径部分と第２の半径部分とを備える、複数のローラーと、
可撓性導管と、
前記アーマチュアおよび前記複数のローラーを取り囲むケーシングと、を備え、前記ケーシングが、前記可撓性導管を受容し、前記可撓性導管を前記アーマチュアおよび前記複数のローラーの周りでガイドするよう構成された螺旋溝を備え、前記螺旋溝の第１の位置において、前記複数のローラーのうちのあるローラーの前記第１の半径部分によって接触されるとき、前記可撓性導管が実質的に開状態であるように、および前記螺旋溝の第２の位置において、前記複数のローラーのうちの前記ローラーの前記第２の半径部分によって接触されるとき、実質的に完全に塞がれた状態であるように、前記螺旋溝が前記導管を配置する、蠕動ポンプ。
【請求項１０】
前記第１の半径部分が、第１の半径から、前記第１の半径よりも大きい第２の半径までテーパ状であり、前記第１の半径部分が、前記第１の半径において、実質的に塞がれていない状態で前記導管に係合し、前記導管に係合する前記第１の半径部分の位置が、前記第１の半径から前記第２の半径まで移動すると、前記導管を次第に塞ぐように構成される、請求項９に記載の蠕動ポンプ。
【請求項１１】
前記第１の半径部分の前記テーパの勾配が、約１５度である、請求項１０に記載の蠕動ポンプ。
【請求項１２】
前記第２の半径部分が、一定の半径を備える、請求項１０に記載の蠕動ポンプ。
【請求項１３】
前記導管が、前記第２の半径部分と接触するとき、実質的に完全に塞がれる、請求項１２に記載の蠕動ポンプ。
【請求項１４】
前記少なくとも１つの可変半径ローラーが、少なくとも２つの位置で同時に前記導管を実質的に完全に塞ぐ、請求項１に記載の蠕動ポンプ。
【発明の詳細な説明】
【技術分野】
【０００１】
関連出願の相互参照
本願は、２０１３年３月１５日に出願された米国仮特許出願第６１／７９３，９８７号の利益を主張するものであり、この内容全体が、参照により本明細書に援用される。
【０００２】
本開示は、眼の手術の分野に関し、より具体的には、眼の手術用の吸引器に関する。
【背景技術】
【０００３】
ヒトの目は、簡単に言うと、角膜と呼ばれる透明な外側部分を通して光を透過させ屈折させて、水晶体を経て像を目の奥の網膜上に収束させることによって、視覚を提供するように機能する。収束された像の品質は、目の寸法、形状、および長さ、ならびに角膜および水晶体の形状および透明度を含む多くの因子に依存する。
【０００４】
外傷、老化、または疾患によって、水晶体の透明度が低下されると、網膜に透過される光の減少のために視力は低下する。この目の水晶体における欠陥は、医学的に白内障として知られている。この状態の治療は、多くの場合、水晶体の外科的除去およびしばしば眼内レンズ（ＩＯＬ）と呼ばれる人工水晶体の移植である。
【０００５】
ＩＯＬは、多くの場合折りたたみ可能であり、ＩＯＬを折りたたませる挿入用カートリッジを介して進められることによって、比較的小さな切開を通して目に挿入される。ＩＯＬは、典型的には、プランジャー状装置によって挿入用カートリッジを介して進められる。
【０００６】
ＩＯＬを挿入する前に、古い水晶体は、通常、水晶体超音波吸引術と呼ばれる過程を通して除去される。水晶体超音波吸引術では、目の水晶体は超音波ハンドピースで乳化され、目から吸引される。吸引された流体は、灌注水／生理食塩水溶液で置換えられ、これによって前眼房の形状を維持する。灌注液および吸引は、通常、遠隔外科用コンソールによって供給され、遠隔外科用コンソールは、数フィートの長さの管を通してハンドピースに連結されている。
【０００７】
典型的には、第１の段階が水晶体の主要部分を抽出し、一方第２の段階が水晶体のあらゆる残りの小片も除去する。灌注−吸引プローブは、水晶体後嚢をそのまま残しながら、あらゆる残留する皮質物質も吸引するために使用され得る。
【発明の概要】
【課題を解決するための手段】
【０００８】
眼吸引のための様々なシステム、プロセス、及び技術が開示される。一態様では、手持ち式眼吸引器は、電気モーターと蠕動ポンプアセンブリとを含むことができる。このポンプアセンブリは、螺旋巻の圧縮性導管と、少なくとも１つの可変半径ローラーとを含むことができる。少なくとも１つの可変半径ローラーは、このローラーが導管と接触して回転すると、導管を次第に塞ぐよう構成することができる。少なくとも１つの可変半径ローラーは、導管を通して流体をポンプで流すために導管を一度に実質的に塞ぐよう動作可能であり得る。
【０００９】
別の態様は、眼の手術用の蠕動ポンプを含むことができる。蠕動ポンプは、アーマチュアと、アーマチュアに回転可能に連結した複数のローラーと、可撓性導管と、アーマチュアおよび複数のローラーを包囲するケーシングとを含むことができる。複数のローラーのそれぞれは、第１の半径部分と第２の半径部分とを含むことができる。ケーシングは、可撓性導管を受容し、可撓性導管をアーマチュア及び複数のローラーの周りで誘導するよう構成された螺旋溝を備え、螺旋溝は、螺旋溝の第１の位置において複数のローラーのうちのあるローラーの第１の半径によって接触される場合、可撓性導管が実質的に開状態にあるように、及び螺旋溝の第２の位置において複数のローラーのうちのそのローラーの第２の半径によって接触される場合、可撓性導管が実質的に塞がれた状態にあるように、導管を配置する。
【００１０】
様々な態様は、以下の特徴のうちの１つ以上を含んでもよい。少なくとも１つの半径ローラーは、複数の可変半径ローラーを含んでもよい。複数の可変半径ローラーのうちの２つの可変半径ローラーは、導管を通して流体をポンプで流すために、実質的に一度に導管を塞ぐことができる。複数の可変半径ローラーのそれぞれは、可変半径区域と実質的に一定の半径区域とを含むことができる。可変半径区域は、複数の可変半径ローラーのそれぞれが螺旋巻の圧縮性導管と接触して回転すると、螺旋巻の圧縮性導管が実質的に塞がれるまで、螺旋巻の圧縮性導管を徐々に塞ぐよう動作可能であり得る。一定の半径区域は、複数の変半径型ローラーのそれぞれが螺旋巻の圧縮性導管と接触して回転し続けると、閉塞を維持するよう動作可能である。
【００１１】
様々な態様はまた、以下の特徴のうちの１つ以上を含んでもよい。蠕動ポンプアセンブリは、ケーシングも含むことができる。ケーシングの内壁は、螺旋巻の圧縮性導管を受容するための螺旋溝を提供することができる。蠕動ポンプアセンブリは、アーマチュアを含むことができる。複数の可変半径ローラーは、このアーマチュアに回転連結され得る。モーターはアーマチュアを駆動するよう動作可能であり得る。可変半径ローラーの可変半径は、約１５度の傾斜を有することができる。
【００１２】
様々な態様はまた、以下の特徴のうちの１つ以上を含んでもよい。第１の半径部分は、第１の半径から第１の半径よりも大きい第２の半径までテーパ状であることができる。第１の半径部分は、第１の半径において実質的に塞がれていない状態で導管に係合し、第１の半径部分が導管に係合する位置が第１の半径から第２の半径まで移動すると、導管を徐々に塞ぐよう構成することができる。第１の半径部分のテーパによって画定される勾配または傾斜は、約１５度であり得る。第２の半径部分は、一定の半径を有することができる。導管は、第２の半径部分と接触する場合、実質的に塞がれ得る。
【００１３】
様々な他の特徴は、以下の発明を実施するための形態および特許請求の範囲、ならびに添付の図面から当業者には明らかになるであろう。
【図面の簡単な説明】
【００１４】
【図１Ａ】例示の蠕動ポンプの部分的断面斜視図であり、それに沿う様々な位置における可撓性導管の断面の変化を示している。
【図１Ｂ】図１Ａに示した例示の蠕動ポンプの部分的断面図である。
【図２Ａ】例示のポンプアセンブリの断面図である。
【図２Ｂ】図２Ａのポンプアセンブリの例示の蠕動ポンプの部分的断面図である。
【図２Ｃ】図２Ａおよび２Ｂに示した例示の蠕動ポンプの例示のアーマチュアおよびローラーを示す。
【図２Ｄ】図２Ａ、２Ｂ、および２Ｃに示した例示の蠕動ポンプの斜視図である。
【図３】例示の手持ち式眼吸引器の斜視図である。
【図４】眼吸引器で使用するための例示の灌注−吸引ユニットの断面図である。
【発明を実施するための形態】
【００１５】
図１Ａ〜１Ｂは、例示の蠕動ポンプ１００を図示する。蠕動ポンプ１００は、例えば、手持ち式眼吸引器で使用することができ、その例が以下に説明されるであろう。
【００１６】
蠕動ポンプ１００は、モーターシャフト１２０を含み、これはモーターシャフト１２０を回転様式で駆動するよう適合させたモーターと機械的に整合するよう構成されている。モーターシャフト１２０はまた、例えば熱可塑性材（例えば、ポリカーボネート）製であり得るアーマチュア１５０を回転させるよう構成されている。３つの可変半径ローラー１１０ａ、１１０ｂ、１１０ｃは、開口１６０においてアーマチュア１５０に枢支連結されている。ローラー１１０ａ、１１０ｂ、１１０ｃは、例えば、熱可塑性材（例えば、ポリカーボネート）製であってもよい。ピンニング部位１６０は、ローラー１１０ａ、１１０ｂ、１１０ｃがアーマチュア１５０に対して回転することを可能にする。例示の蠕動ポンプ１００は、３つのローラー１１０ａ、１１０ｂ、１１０ｃを含むものとして図示されているが、本開示の範囲はこのように限定されない。むしろ、他の実装においては、蠕動ポンプ１００は、３つを超えるローラーを含んでもよい。さらに他の実装では、蠕動ポンプ１００は、３つよりも少ないローラーを含んでもよい。例えば、いくつかの実装においては、わずか単一のローラーが、流体をポンプで流すよう使用され動作可能であってもよい。
【００１７】
蠕動ポンプ１００はまた、蠕動ポンプを包囲するケーシング１７０を含む。ケーシング１７０は、例えば、熱可塑性材（例えば、ポリカーボネート）製であってもよい。他の実装では、ケーシング１７０は他の材料から作られてもよい。例えば、いくつかの実装では、ケーシング１７０は、ステンレス鋼またはチタンなどの金属から形成されてもよい。さらに他の例では、ケーシング１７０は、任意の好適な材料から形成されてもよい。
【００１８】
ケーシング１７０は、可撓性導管１３０をローラー１１０ａ、１１０ｂ、１１０ｃとケーシング１７０との間で確実に嵌合させるよう構成されている。図１Ｂから理解されるように、ケーシング１７０は、ケーシング１７０の内表面１７２に形成された螺旋ガイド溝１４０を含む。螺旋ガイド溝１４０は、ケーシング１７０の周囲で導管１３０に対して構成されている。導管１３０は、例えば、ホース、管、または他の導管であってもよく、可撓性材料から作られてもよい。例えば、導管１３０は、エラストマー（例えば、シリコーンゴム）または熱可塑性エラストマーから形成されてもよい。他の実装では、導管１３０は、任意の好適な材料から形成されてもよい。作動中に、流体は蠕動ポンプ１００の投入端Ａで導管１３０を経て蠕動ポンプ２００に入り、蠕動ポンプ１００の排出端Ｅで出る。
【００１９】
３つのローラー１１０ａ、１１０ｂ、１１０ｃが図１に示されているが、他の実装では、ポンプは単一のローラーを含み、流体をポンプで流すために動作可能であってもよい。例えば、ローラーによる導管圧縮の場所の間でローラーに流体の容積をトラップさせるために螺旋導管のコイルの間に十分な重複があるように螺旋巻き導管を有するポンプが、流体をポンプで流すよう動作可能であり、本開示の範囲内に入る。
【００２０】
図１Ｂでより明確に理解されるように、アーマチュア１５０は、第１および第２のフランジ１５２を含む。フランジ１５２は、複数のタブ１５６を含む。タブ１５６は、ローラー１１０ａ、１１０ｂ、１１０ｃが連結されている開口１６０を含む。開口１６０は、ピン１６２を受容する。いくつかの例では、ピン１６２は、ローラー１１０ａ、１１０ｂ、１１０ｃと一体的に形成されてもよい。他の例では、ピン１６２は、ローラー１１０ａ、１１０ｂ、１１０ｃとは別個であってもよく、ピンがそれを貫通して伸びてもよい。
【００２１】
図１Ｂに図示するように、ローラー１１０ａ、１１０ｂ、１１０ｃは、第１のゾーン１１２と第２のゾーン１１４とを含むことができる。第１のゾーン１１２は可変半径を有することができる。特に、第１のゾーン１１２は、テーパ状の形状を有することができる。第２のゾーン１１４は、実質的に一定の半径を含むことができる。図示した実装では、第１のゾーン１１２は、第２のゾーン１１４と比べて約１５度の傾斜を有することができる。他の傾斜が他の実装において使用されてもよい。他の実装は、他の形状を有してもよい。例えば、ローラーは一定の勾配、ある勾配から実質的に定半径の表面への漸進的な移行、または不規則な勾配を備えた単一のゾーンを有してもよい。
【００２２】
作動中に、ローラー１１０ａ、１１０ｂ、１１０ｃは、これらがアーマチュア１５０上のケーシング１３０の内側の周辺で回転すると、導管１３０を圧縮しかつ解除する。点Ｂ、Ｃ、およびＤは、これらの対応する位置における導管１３０の断面形状を示している。特に、これらの点は、導管１３０のこれらの位置の変形の形状を反映し、導管１３０内の通路がローラー１１０ａ、１１０ｂ、および１１０ｃによる導管１３０の圧縮によって塞がれる量を図示している。投入端Ａの近辺では、導管２３０の一部は、ローラー１１０ｃの第１のゾーン１１２により接触され、これは、接触点において減少した半径値を有する。この場合、導管１３０は、接触点において実質的に開状態にあり、流体はこの点では導管に流れ込むことができる。アーマチュア１５０がケーシング１７０の周りにローラー１１０ａ、１１０ｂ、１１０ｃを進めるにつれて、ローラー１１０ａ、１１０ｂ、１１０ｃの可変半径のために、導管１３０の閉塞は、スムーズに増大する。例えば、点Ｂにおいては、導管１３０のおよそ半分がローラー１１０ａの第２のゾーン１１４によって塞がれているが、一方導管の他の半分は、ローラー１１０ａの第１のゾーン１１２によって部分的に塞がれているに過ぎない。導管１３０は、可変半径ローラー１１０ａ、１１０ｂ、１１０ｃおよびケーシング１７０の内表面１７２に沿う導管１３０の螺旋形状の結果として、次第に塞がれる。ローラー１１０ａ、１１０ｂ、１１０ｃがアーマチュア１５０内で導管１３０に対して回転されるにつれて、ローラー１１０ａ、１１０ｂ、１１０ｃのいずれか１つが導管１３０と接触する位置が、ケーシング１７０の内表面１７２に沿う及びこれに対する導管１３０の螺旋形状（すなわち、傾斜した形状）のために変化する。
【００２３】
点Ｃにおいては（図１Ａに示すような）、導管１３０は、ローラー１１０ｃの第２のゾーン１１４と実質的に完全に接触状態にあり、導管１３０が実質的に完全に塞がれている状態をもたらす。さらに、点Ｄでは、導管１３０は、ローラー１１０ｃの第２のゾーン１１４と実質的に完全に接触状態にあり、導管１３０が実質的に完全に塞がれている状態をもたらす。したがって、流体は、ローラー１１０ｂおよびローラー１１０ｃなどのローラーの間で導管１３０内に取り込まれる。ローラー１１０ａ、１１０ｂ、１１０ｃがケーシング１７０の周りで移動し続けるにつれて、ローラー１１０ａ、１１０ｂ、１１０ｃは、導管１３０を通して、および排出端Ｅの外へ物質（例えば、流体、スラリー、または他の流動性物質）を蠕動的に輸送する。排出端Ｅにおいては、導管１３０は、ケーシング１５０を出る。その結果、ローラーは導管１３０との接触を失い、これによって、ローラーがそれぞれ導管内１３０で形成する閉塞を解除する。図示した実装において、例えば、ローラー１１０ｃのさらなる回転は、その第２のゾーン１１４に導管１３０との接触を失わせることになり、導管１３０は圧縮を解除し、それを貫通して形成される通路を開くであろう。したがって、ローラー１１０ｂがケーシング１７０の内表面１７２の周りで回転し続けると、ローラー１１０ｂは、ローラー１１０ｂとローラー１１０ｃとの間に取り込まれた流体を放出することができる。
【００２４】
ポンプシステム１００は、多種多様な特徴を有する。例えばローラー１１０ａ、１１０ｂ、１１０ｃのテーパ状部分（すなわち、第１のゾーン１１２）は、導管１３０が徐徐に圧縮されることを可能にする。このことが導管１３０を通って流れる物質の脈動を減少させる。この脈動における減少は、これが眼内吸引流体の追従性を改善し、処置を実施するために必要な時間を最小限にとどめることができるために、ポンプシステム１００が例えば手持ち式眼吸引器で使用される場合、有利である。別の例として、テーパ状部分を有するローラーは、たとえ必要であっても、適切に機能するためにわずかな表面潤滑油を必要とし、したがって駆動モーターで必要とされる操作トルクを減少させ、ならびに潤滑油浴を作成する必要性を排除することができる。追加の例としては、導管１３０が螺旋ガイド溝に沿って延びているために、ポンプシステムの全体の長さが縮小される。寸法の縮小は、このような形状が使用の容易性を高めるために、ポンプシステム１００が、例えば手持ち式眼吸引器で使用される場合に特に有利である。
【００２５】
図１Ａおよび１Ｂは、例示の蠕動ポンプ１００を図示しているが、他の蠕動ポンプは、より少ない、追加の、及び／または異なる配置の構成部品を含んでもよい。例えば、ポンプシステムは、追加のローラーを含んでもよい。別の例として、ポンプシステムは、ケーシングの周囲でより多くの導管のコイルを含んでもよい。さらなる例として、ポンプシステムは、螺旋パターンで多数の導管を含んでもよい。螺旋状に構成された可撓性導管を有する実装において、可変半径ローラーは、アーマチュアが回転すると、複数の導管に同時に係合するよう動作可能である。したがって、多数の導管によって、ポンプシステムは、流体排出流速を増加するよう動作可能である。
【００２６】
他の実装もまた可能である。例えば、別の例示のポンプは、完全なコイルよりも短いものを形成する可撓性導管の長さを含んでもよい。このような実装においては、ポンプは、流体を蠕動的に輸送するために、どの時点においても完全に圧縮している導管の長さと係合した少なくとも２つのローラーを含む。いくつかの例では、導管の長さは、コイルの半分を形成してもよい。他の実装では、ポンプは、コイルの半分以上を形成する導管の長さを含んでもよく、一方他のポンプは、コイルの半分より短いものを形成する導管の長さを有してもよい。
【００２７】
図２Ａ、２Ｂ、２Ｃ、および２Ｄは、手持ち式眼吸引器で使用するための例示のポンプアセンブリ２００を図示する。図２Ａは、ポンプアセンブリ２００の断面図を示し、図２Ｂは、部分的に断面化されたケーシング２０７を有する、ポンプアセンブリ２００の一部を形成する蠕動ポンプ２１０の斜視図を示し、ならびに図２Ｃは、ローラー２１２およびアーマチュア２１４を示すために取り除かれたケーシング２７０および可撓性導管２３０を有する蠕動ポンプ２１０を示す。図２Ｄは、蠕動ポンプ２１０の斜視図を示す。
【００２８】
ポンプアセンブリ２００は、図２Ａに示すハンドピース２０５などのハンドピースに連結され得る。ハンドピース２０５は、ポンプアセンブリ２００にそれに形成されたポート２０４において連結することができる。いくつかの例では、ハンドピース２０５は、水晶体超音波吸引術のハンドピースであり得る。他の例では、ポンプアセンブリ２００は、例えば、吸引能力を含む任意のハンドピースに連結されてもよい。一般的に、ポンプアセンブリ２００は、モーター２２５と蠕動ポンプ２１０とを含む。いくつかの例では、蠕動ポンプ２１０は、蠕動ポンプ１００と同様であり、それと同様な様式で動作してもよい。
【００２９】
蠕動ポンプ２１０は、多数の可変半径ローラーを含む。図示した例では、蠕動ポンプ２１０は、第３のローラー２１２が、蠕動ポンプ２１０の形状により隠れているために、２つだけが示されているが、３つのローラー２１２を含む。他の実装では、蠕動ポンプ２１０は、追加のまたはより少ないローラー２１２を含んでもよい。いくつかの実装では、わずか単一のローラー２１２が使用されてもよい。例えば、単一のローラー２１２は、複数の導管２３０のコイルを有する蠕動ポンプで使用されてもよい。示した例では、ローラー２１２は、テーパ状の端部分２０１と一定半径部分２０３とを含む。ローラー２１２は、モーター２３０によって駆動されるアーマチュア２１４に回転自在に取付けられる。蠕動ポンプ１００と同様に、可撓性導管２３０は、アーマチュアの周りに巻き付けられ、ケーシング２７０の内表面とローラー２１２との間に配置される。いくつかの例では、アーマチュア２１４は、モーター２２５の回転可能なシャフトに連結され得る。
【００３０】
いくつかの例では、モーター２２５は、電気モーターであり得る。例えば、モーター２２５は、直流（ＤＣ）モーターであってもよい。他の例では、モーター２２５は、例えば、無ブラシ電気モーターであってもよい。しかしながら、さらに他の例では、モーター２２５は、アーマチュア２１４を回転させるよう動作可能な任意の装置であってもよい。
【００３１】
示すように、蠕動ポンプ２１０は、モーター２２５の端部に配置されている。ケーシング２７０は、モーター２２５を取り囲むハウジング２２７に連結するよう適合されている。例えば、ハウジング２２７は、ケーシング２７０の第１の端部２７２に受容されるカラー２２９を含んでもよい。いくつかの実装では、モーター２２５は、異なる外科的処置間で再使用可能であるアセンブリの一部であってもよい。
【００３２】
図２Ｄを参照すると、蠕動ポンプ２１０はまた、蠕動ポンプ２１０に流体を提供する投入ポート２６０と、蠕動ポンプ２１０から流体を放出するための排出ポート２２０とを含むことができる。いくつかの例では、蠕動ポンプ２１０は、使い捨てであってもよい。例えば、蠕動ポンプ２１０は、外科的処置後に、モーター２２５から取り外され、廃棄されてもよい。いくつかの実装では、ケーシング２７０および導管２３０は、ローラー２１２と接触した状態から長手方向に変位させられることによってなど、取り外され、廃棄されてもよい。
【００３３】
いくつかの例では、ケーシング２７０は、モーター２３５用のハウジング２２７の一部を形成することができる。いくつかの例では、ケーシング２７０は、ハウジング２２７の着脱可能な部分であってもよい。したがって、いくつかの例では、ケーシング２７０またはその一部は、蠕動ポンプ２１０またはその部品（例えば、導管２３０、アーマチュア２１４、および／またはケーシング２７０それ自体の一部）は、取り外されかつ廃棄されるように取り外し可能であってよい。なおその上、さらに他の実装において、ポンプアセンブリ２００は、１回以上の使用の後に完全に使い捨てであってもよく、またはその使用後に完全に再使用可能であってもよい。
【００３４】
作動中に、ポンプアセンブリ２００は、例えば、水晶体超音波吸引術プローブ、灌注−吸引プローブ、または硝子体摘出術プローブなどの１つ以上の手持ち式装置に、それらに吸引を提供するために、着脱可能に連結されてもよい。ポンプアセンブリ２００および手持ち式装置は、例えば、一体型ユニットを形成してもよい。例えば、上述のように、ポンプアセンブリ２００は、水晶体超音波吸引術プローブ、灌注−吸引プローブ、または硝子体摘出術プローブに連結されてもよく、及び組み合わされて、単一の手持ち式装置を形成してもよい。いくつかの例では、これらのプローブは、あるタイプの灌注を必要とする場合がある。いくつかの実装では、灌注は、外科用コンソール、重力供給型のバッグ、または任意の他の適切な技術によって提供されてもよい。
【００３５】
ポンプアセンブリ２００は、多種多様な特徴を有する。蠕動ポンプ２１０は、ハンドピース内に直接配置されているために、吸引流に関連する不要な効果、例えば、ハンドピースを通過する吸引された物質の詰まりに起因する吸引流の閉塞が最小化されるかまたは排除される。例えば、ハンドピースの流路内に詰まっている吸引された材料から、流れは塞がれる場合がある。吸引が遠隔のコンソール内で生じるような場合、吸引を供給し吸引された物質を遠隔のコンソールに運ぶために使用される長い、可撓性の導管のために、障害物の回避時にサージが生じ得る。いくつかの例では、長い、可撓性の導管は、長さが６フィートまたはそれ以上の場合がある。さらに、本明細書に記載される蠕動ポンプ内で使用され、蠕動動作を作り出すために使用される可変半径ローラーは、引き込み（ｌｅａｄ−ｉｎ）角を含むテーパ状部分を組み込むことができる。テーパ状部分のこの引き込み（ｌｅａｄ−ｉｎ）角によって、ローラーが流体の蠕動性変位を作り出すにつれて、流体流中の脈動を最小限にとどめるために、ローラーは導管を徐々に塞ぐ。
【００３６】
吸引部位に対して蠕動ポンプが近接していること（例えば、一体型の手持ち式ハンドピースの部品としての蠕動ポンプを含む）；より正確に流体流を制御するための能力、ならびにハンドピース内に制御された真空を生じるための能力が、ユーザーが水晶体除去処理を成功裏に完了することに役立つ。特に、テーパ状ローラーに起因する脈動の減少は、吸引中の改善された取り込みおよび粒子の保持を提供する。これは、蠕動ポンプによって生じる真空が、変動が少ないためである。さらに、水晶体超音波吸引術の背景において、改善された取り込みおよび粒子の保持によって、水晶体超音波吸引エネルギーは、より効率的に粒子に伝達される。粒子の改善された取り込みによって、粒子はより迅速に乳化され、これによって処理手順の合計時間を減らすことができる。したがって、より大きな組織粒子を除去するために必要な時間を削減することができ、患者の不快感および回復時間を減少させることができる。
【００３７】
その上、可変半径ローラーは、たとえ必要であっても、適切に機能するためにわずかな表面潤滑油を必要とし、したがってローラーを可撓性導管に対して回転させるために、モーターで必要とされる操作トルクを減少させ、ならびに潤滑油浴を作成する必要性を排除する。
【００３８】
図３は、手持ち式眼吸引器３００の例を図示する。手持ち式眼吸引器３００は、例えば、蠕動ポンプ１００または蠕動ポンプ２１０と同様なポンプを含んでもよい。いくつかの実装では、手持ち式眼吸引器３００は、再使用可能な部分３１０と使い捨て部分３２０とを含むことができる。再使用可能な部分３１０は、モーター部分３３０を含むことができ、使い捨て部分３２０は、ポンプ部分３４０を含むことができる。モーター部分３３０は、モーター２３５と同様なモーターを含んでもよい。ポンプ部分３４０は、上述したような蠕動ポンプを含んでもよい。使い捨て部分３２０はまた、投入ポート３５０と排出ポート３６０とを含んでもよい。
【００３９】
モーター部分３３０は、形状が概ね円筒形であるものとして図示されているハウジング３３２を含むことができ、これは、ユーザーによる操作の容易さを提供することができる。しかしながら、ハウジング３３２は、他の実装において他の形状を有してもよい。したがって、他の実装においては、ハウジング３３２は、円筒形以外の形状を有してもよい。モーター部分３３０はまた、ハウジング３３２内に配置されたモーターを含む。いくつかの実装では、モーターは、ＤＣモーターなどの電気モーターであり得る。しかしながら、本開示はこれに限定されるものではなく、モーターは、ポンプ部分３４０を動作させるのに適切な任意の装置であってもよい。
【００４０】
ポンプ部分３４０は、ハウジング３３２と対をなして嵌合するように適合されたハウジング３４２を含んでもよい。例えば、ハウジング３４２の端部３４３は、ハウジング３３２の端部３３３を受容することができる。さらに、いくつかの実装では、ハウジング３４２とハウジング３３２は、ねじ込み式インターフェース、スナップ嵌合、または締り嵌めで一緒に連結されてもよい。しかしながら、任意の他の好適な接続技法が使用されてもよい。ポンプ部分３４０はまた、本明細書に記載されるポンプの１つ以上と同様であり得る蠕動ポンプを含んでもよい。
【００４１】
上述したように、使い捨て部分３２０はまた、投入ポート３５０と排出ポート３６０とを含んでもよい。いくつかの実装では、投入ポート３５０は、一体型の手持ち式ユニットを形成するために、手持ち式装置（例えば、水晶体超音波乳化術プローブまたは灌注−吸入プローブ）に連結するよう適合されてもよい。いくつかの実装では、投入ポート３５０は、例えば、ルアー結合の雌型部分であってもよい。
【００４２】
いくつかの実装では、使い捨て構成要素３２０は、ハウジング３３２を完全に組み込んでもよい。あるいは、使い捨て構成要素３２０は、ハウジング３３２と互いにかみ合うよう構成された別個の使い捨て部品を形成してもよい。当業者であれば、再使用可能な構成要素と使い捨て構成要素の多種多様な組み合わせが存在することも理解されるであろうし、本開示はこれらの組み合わせの全てを包含することを意図している。
【００４３】
典型的な眼の手術（例えば、白内障の水晶体除去）の際に、様々な流体および組織が目から吸引されねばならない。例えば、天然の眼内流体（例えば、眼房水）および供給された灌注水（例えば、水／生理食塩水溶液）が吸引され得る。さらに、乳化された水晶体の一部ならびに皮質物質などの他の物質が、白内障水晶体除去においては取り除かれる必要があり得る。眼吸引器３００は、このような流体および組織を吸引するために使用することができる。
【００４４】
本明細書に記載されるタイプのポンプを一体化する、すなわち、手持ち式装置上に全体的に収容された、本明細書に記載されるタイプの手持ち式装置は、多数の利点を提供する。このような装置は、閉塞後のサージに対して迅速な応答を提供する。この装置はまた、吸引経路内の物質の詰まりに関連する閉塞後のサージの影響を低減する。特に、この装置は、閉塞後サージ中に吸引される流体の量を減少させる。この減少は、装置内の可撓性導管の近接性および短い長さにより達成される。これらの装置のモーターは、ポンプを通る流速を制御するために、可変速度で駆動され得る。
【００４５】
これらの手持ち式装置内のポンプの近接性は、真空中の変動に対して迅速な調整も提供する。これらの装置はまた、低下した流体流速脈動の結果としての改善された取り込みならびに粒子の保持、または可変半径ローラーの結果としてのこれらの脈動の大きさの低減を提供する。急速な真空および放出応答は、コンソール内のポンプと比べて、チップとポンプとの間のより短い流体柱に起因する。したがって、閉塞後サージ、すなわち、吸引流路内の閉塞の除去による目からの流体のサージが減少される。これらの特徴は、水晶体前嚢の一体性を保護し、灌注溶液中に懸濁される破片の流動性を改善する。
【００４６】
さらに有利なことに、これらの装置は、圧力制御管の代わりに薄壁管を可能にすることによって、コストおよび吸引流体力学カセットの組立てを減少させ、二重管灌注／吸引形状の製造を簡易化することができる。
【００４７】
図４は、例示の灌注−吸引（「Ｉ／Ａ」）ユニット４００を図示する。このＩ／Ａユニット４００は、例えば、ポンプ部分３４０のようなポンプユニットと共に使用されてもよい。
【００４８】
例示のＩ／Ａユニット４００は、チャネル４１４を画定するハウジング４１０、チャネル４１４内に受容されるインサート４１１、ハウジング４１０の近位端４３０で形成される凹部４２１内に受容される雄型ルアー継手４１９、およびハウジング４１０の遠位端４４２に連結されるスリーブ４２０を含む。ハウジング４１０は、剛性材料から形成されてもよい。例えば、ハウジング４１０は、剛性プラスチック、金属または他の好適な材料から形成されてもよい。ハウジング４１０は、チャネル４４４を画定する注入ポート４１２も含む。
【００４９】
いくつかの実装では、雄型ルアー継手４１９は、ポリマーから構成されている。他の実装では、雄型ルアー継手４１９は、金属または任意の他の適切な材料から構成されてもよい。
【００５０】
インサート４１１は、貫通して延びるチャネル４１７を画定する。雄型ルアー継手４１９は、チャネル４３６を画定する。Ｉ／Ａユニット４００はまた、インサート４１１の遠位端４３２から延びるカニューレ４２４も含む。カニューレ４２４の近位端４３４は、遠位端４３２でチャネル４１７内に受容される。カニューレ４２４は、貫通して延びるチャネル４２５を画定する。チャネル４１７、４２５、および４３６は、互いに連通し、吸引通路４３８を画定する。
【００５１】
スリーブ４２０は、チャネル４２２を画定する。ハウジング４１０の遠位端は、チャネル４２２内に受容され得ることで、スリーブ４２０は、ハウジング４１０の遠位端を超えて膨張し、封止された界面を形成する。他の実装では、他の係合（例えば、ねじ込み式又は有棘式）が使用されてもよい。カニューレ４２４は、チャネル４２２を通って延在し、したがって、カニューレ４２４の遠位端４２６がスリーブ４２０の遠位端４４２を超えて延在する。いくつかの例では、カニューレ４２４は、全体的にまたは一部分がプラスチック材料から形成されてもよい。他の実装では、カニューレ４２４は、ステンレス鋼またはチタンなどの金属から形成されてもよい。他の例では、カニューレ４２４は、任意の好適な材料から形成されてもよい。さらに、いくつかの例では、カニューレ４２４は、チップ４３１を含んでもよい。チップ４３１は、例えば、水晶体嚢に磨きをかけるために利用され得る。いくつかの例では、チップ４３１は、カニューレ４２４に一体の部分であってもよい。例えば、カニューレ４２４がプラスチックから形成されている場合、チップ４３１は、それに一体の部分であってもよい。カニューレ４２４が金属から形成されている実装においては、チップ４３１は、カニューレ４２４の遠位端４２６に施されたプラスチックから形成されてもよい。例えば、チップ４３１は、カニューレ４２４にオーバーモールドされてもよい。
【００５２】
インサート４１１の外表面及びハウジング４１１の内表面は、ハウジング４１０を通って延びる環状空間４４０を画定する。環状空間４４０は、吸引通路４３８からは離隔されている。環状空間４４０は、チャネル４２２、４４４と連通し、注入通路４４６を画定する。チャネル４２２と環状空間４３８との間の連通は、インサート４１１の遠位端上に形成された軸方向に延びる突部４５０の間の空間によって達成することができる。注入通路４４６は、吸引通路４３８からは流体離隔されている。
【００５３】
水／生理食塩水溶液などの輸液剤（例えば、平衡塩類溶液）は、注入ポート４１２を介して注入通路４４６に導入される。いくつかの実装では、輸液剤は、矢印４２３で示すように、スリーブ４２０の遠位端４４２においてＩ／Ａユニット４００から出る。他の実装では、スリーブ４２０は、その遠位端４４２で形成された１つ以上のポート４４３を含んでもよく、これらポートは灌注液の流出を可能にする。輸液剤は、目の洗浄または研磨プロセスなどの処置中に目に提供されてもよい。輸液剤は、例えば、外科用コンソールによって提供されてもよい。
【００５４】
矢印４２７によって表された吸引された物質は、遠位開口部４４８を介して、Ｉ／Ａユニット４００の吸引通路４３８に引き込まれる。吸引された物質は吸引通路４３８を通過し、雄型ルアー継手４１９を介してＩ／Ａユニット４００から出る。
【００５５】
作動中に、Ｉ／Ａユニット４００は、ポンプアセンブリ２００または吸引器３００などの本明細書に記載されたタイプと同様なポンプアセンブリに連結され得る。ポンプアセンブリは、蠕動ポンプを含んでもよい。例えば、ポンプアセンブリは、蠕動ポンプ１００、２００などの蠕動ポンプを含んでもよい。例えば、Ｉ／Ａユニット４００は、雄型ルアー継手４１９において手持ち式ポンプユニットに連結され得る。Ｉ／Ａユニット４００はまた、灌注供給ライン（例えば、外科用コンソールからの）に連結され得る。例えば、Ｉ／Ａユニット４００は、注入ポート４１２において灌注供給ラインに連結され得る。チップ４３１は、既存の切開を通して目に挿入されてもよい。眼内の物質は、水晶体後嚢をそのままにした状態で吸引され得る。例えば、眼球組織（例えば、皮質物質および上皮細胞）などの物質が吸引され得る。同時に、目を安定化させるために流体が灌注されてもよい。加えて、所望されるならば、目の水晶体後嚢が、チップ４３１で磨かれてもよい。
【００５６】
Ｉ／Ａユニット４００は、多種多様な特徴を有する。例えば、ポンプユニットをＩ／Ａユニット４００に対してより近くに配置させることによって、チャンバーの安定性が改善され得る。加えて、Ｉ／Ａユニット４００は、所望されるならば、従来の外科用コンソールと共に使用されてもよい。手持ち式ポンプユニットもまた、灌注−吸引ユニットから遠隔に配置することができ（例えば、人間工学的な理由で）、吸引管を介して灌注−吸引ユニットに連結することができる。
【００５７】
図４は、例示のＩ／Ａユニット４００を図示するが、他のシステムが、より少ない、追加の、および／又は異なる配置の構成要素含み得る他のＩ／Ａユニットを使用してもよい。
【００５８】
本明細書で説明かつ記述されてきた種々の実装は、例示の目的のために使用されたに過ぎない。本開示の原理ならびに実際の用途を説明するために、および当業者に、種々の修正を伴う種々の実装が考えられる特定の使用に適しているものとして本開示を理解させるために、これら実装が選択されかつ記載されている。したがって、構成要素の実際の物理的形状は変化してもよい。例えば、構成要素の記述された寸法（複数可）およびそれらの互いに対する図示されたサイジングは、用途に基づいて変化してもよい。さらに、１つ以上の構成要素の形状は、用途に応じて変化してもよい。したがって、例示の実装は、構成要素の物理的寸法、形状、および関係のみを定義するものとして解釈されるべきではない。
【００５９】
眼の手術用の様々なシステムおよび技術が説明され、その他のものも記述されまたは示唆されてきた。しかしながら、当業者であれば、眼の手術を達成しつつも、多種多様な追加、削除、置き換え、ならびに修正がこれらのシステムおよび技術になされ得ることを容易に認識するであろう。したがって、保護範囲は、以下の特許請求の範囲に基づいて判断されるべきであり、特許請求の範囲は１つ以上の実装の１つ以上の態様を取り込むことができる。
【図１Ａ】
2016516483.tif 000003
【図１Ｂ】
2016516483.tif 000004
【図２Ａ】
2016516483.tif 000005
【図２Ｂ】
2016516483.tif 000006
【図２Ｃ】
2016516483.tif 000007
【図２Ｄ】
2016516483.tif 000008
【図３】
2016516483.tif 000009
【図４】
2016516483.tif 000010
【手続補正書】
【提出日】平成27年11月17日(2015.11.17)
【手続補正１】
【補正対象書類名】特許請求の範囲
【補正対象項目名】請求項１４
【補正方法】変更
【補正の内容】
【請求項１４】
前記少なくとも１つの可変半径ローラーが、少なくとも２つの位置で同時に前記導管を実質的に完全に塞ぐ、請求項１に記載の手持ち式眼吸引器。
【国際調査報告】
2016516483.tif 000011